(57)【特許請求の範囲】
【請求項１】
遊技機と、
投入された貨幣を識別してその貨幣価値に伴う所定の処理を実行すると共に該貨幣を遊技島内部方向に排出可能とされた投入貨幣処理手段と、挿入された記録媒体に記録された情報を少なくとも読み取ることで該読み取り情報にて特定される有価価値の大きさに伴う所定の貸出処理を実行すると共に所定の回収条件の成立に基づき前記記録媒体を遊技島内部方向に排出する処理を行う記録媒体処理手段と、を有して前記遊技機間に設置された貸出処理装置と、
を少なくとも具備する複数の遊技用装置が並設された遊技島において、
該遊技島の内部にその長手方向に渡って配設され、前記投入貨幣処理手段より排出される貨幣および前記記録媒体処理手段より排出される記録媒体とを混在搬送可能な本流路と、
前記排出貨幣が移動可能に前記投入貨幣処理手段と前記本流路とを繋ぐ第１支流路と、
前記排出記録媒体が移動可能に前記記録媒体処理手段と前記本流路とを繋ぐ第２支流路と、
前記本流路の搬送方向末端部に連設されて、前記本流路にて搬送されてきた貨幣と記録媒体とを分別して収容可能な分別収容部と、
を設け、
前記第２支流路は、前記排出記録媒体が流下可能に形成されるとともに、該記録媒体の前記本流路への合流速度を規制する速度規制手段を具備することを特徴とする遊技島。
【請求項２】
前記本流路を挟んで対向する位置に設けられた前記各貸出処理装置の前記各第１支流路と前記各第２支流路とが、同一の前記本流路に接続されている請求項１に記載の遊技島。
【請求項３】
前記速度規制手段が、前記第２支流路の前記本流路との合流部形状を前記本流路の搬送方向に沿って適宜湾曲させることで形成されている請求項１または２に記載の遊技島。
【請求項４】
前記第１支流路は、前記排出貨幣が流下可能に形成されるとともに、該貨幣の流下速度を規制する流下速度規制手段を具備する請求項１〜３のいずれかに記載の遊技島。
【請求項５】
前記流下速度規制手段は、前記第１支流路の前記本流路との合流部に流下する貨幣が衝突可能に配置された規制部材にて形成されている請求項４に記載の遊技島。
【請求項６】
前記本流路を挟んで対向する位置に設けられた前記各貸出処理装置に繋がる前記各第２支流路が合流して１本の第２支流路を形成して前記本流路に接続されている請求項１〜５のいずれかに記載の遊技島。
【請求項７】
前記合流する第２支流路に繋がる前記各記録媒体処理手段は互いに信号授受可能に接続され、他方の記録媒体処理手段が記録媒体の排出処理中である旨の信号を出力している際には、記録媒体の排出を実施しない請求項６に記載の遊技島。
【請求項８】
前記本流路を搬送される貨幣と記録媒体の重なりおよび貨幣同志または記録媒体同志の重なりを解消する重なり解消手段を、前記分別収容部の上流部所定位置に設けた請求項１〜７のいずれかに記載の遊技島。
【請求項９】
前記重なり解消手段が、前記本流路を構成する搬送路と所定の間隙を有して配置され、該搬送路の移動方向と反対方向に駆動回転された回転ローラにより形成されている請求項８に記載の遊技島。
【請求項１０】
前記回転ローラが、前記搬送路との間隙が変化可能に付勢されたテンションローラである請求項９に記載の遊技島。
【請求項１１】
前記分別収容部には、前記記録媒体は通過可能であって貨幣は落下する所定の大きさの孔部を有する分別路が設けられている請求項１〜１０のいずれかに記載の遊技島。
【請求項１２】
前記分別路は、貨幣および記録媒体が流下可能な斜路であって、該分別路表面に摩擦抵抗を低減する摩擦抵抗低減部材が形成されている請求項１１に記載の遊技島。
【請求項１３】
前記分別路における孔部の配置位置に対応する位置に、前記本流路を搬送される貨幣を整列する整列手段を、前記重なり解消手段の下流部に有する請求項１１または１２に記載の遊技島。
【請求項１４】
前記分別路より落下した貨幣を、該貨幣の外径に基づき各種別毎に分別可能な貨幣分別路を具備する請求項１１〜１３のいずれかに記載の遊技島。
【請求項１５】
分別された貨幣および記録媒体の検出を行うセンサを前記分別収容部に具備するとともに、該センサによる検出に基づき回収枚数または回収金額を計数する計数手段を具備する請求項１〜１４のいずれかに記載の遊技島。
【請求項１６】
前記分別収容部が遊技島内部に収納されて配置されている請求項１〜１５のいずれかに記載の遊技島。
【発明の詳細な説明】
【０００１】
【発明の属する技術の分野】
本発明は、パチンコ機やスロットマシン等の遊技機と、該遊技機間に設けられた貨幣およびプリペイドカ−ド等の記録媒体が投入および挿入可能とされた貸出処理装置と、を含む複数の遊技用装置が並設され、前記貸出処理装置に投入される貨幣およびプリペイドカ−ド等の記録媒体を収集して回収することのできる遊技島に関する。
【０００２】
【従来の技術】
近年、遊技場に設置された遊技島においてパチンコ機等の遊技機に対応して設けられて遊技媒体であるパチンコ玉等の貸出を行う貸出処理装置としては、予め所定の金額分の遊技媒体を借りられるようにしたプリペイドカ−ド等の記録媒体を使用して貸出を行うものが多く用いられている。
【０００３】
これらプリペイドカ−ド等の記録媒体を使用する貸出処理装置においては、従来の貨幣の投入にて遊技媒体の貸出がなされる貸出処理装置に比較して、該貸出処理装置に投入された貨幣の回収を省くことが可能となるという利点を有するが、これらプリペイドカ−ド等の記録媒体の発行（販売）装置は、通常遊技島の端部等に設置されることが多く、このためプリペイドカ−ドの全額を使用してしまって新たに追加購入する場合には、遊技者は遊技を中断して前記発行（販売）装置まで逐次出向く必要があり、不便であって遊技者の遊技に関する興味を低下させてしまうばかりか、これら追加購入のために離席する場合には、その遊技機が稼動せずに占拠された状態となってしまうことから、遊技場にとっても遊技機の稼動率が低下してしまうという問題があった。
【０００４】
近年においてはこの問題に対応するために、前記プリペイドカ−ド等の記録媒体が使用可能な貸出処理装置に、該記録媒体の発行機能や貨幣の投入によっても遊技媒体の貸出が受けられる機能を付与したものが多く検討されるようになってきている。
【０００５】
【発明が解決しようとする課題】
これら記録媒体および貨幣の双方を投入可能な貸出処理装置が設けられた遊技島においては、前記投入貨幣の回収や前記記録媒体の回収のための省力化を図ることを目的として、これらの回収機構を設けることが考えられるが、通常前記貸出処理装置は、遊技者が遊技の手を休めることなく操作可能とするために遊技機間に配置され、遊技島により多くの遊技機を設置可能とするために狭幅の縦長状とされており、よって前記貨幣の処理を行う貨幣処理手段と前記記録媒体を処理する記録媒体処理手段の配置高さ位置が大きく異なるようになることから、これら貨幣および前記記録媒体を遊技島端部等に収集するには、貨幣と記録媒体とのそれぞれに個別の搬送路を設けることが必要となり、遊技島内部の構造が複雑化してしまうとともに、該搬送路のみならず遊技島全体のメンテナンス性が著しく低下してしまうという問題があった。
【０００６】
よって、本発明は上記した問題点に着目してなされたもので、遊技島内部の構造が複雑化せず、該遊技島のメンテナンス性が大きく低下することなく貨幣および前記記録媒体の回収機能を有する遊技島を提供することを目的としている。
【０００７】
【課題を解決するための手段】
投入された貨幣を識別してその貨幣価値に伴う所定の処理を実行すると共に該貨幣を遊技島内部方向に排出可能とされた投入貨幣処理手段と、挿入された記録媒体に記録された情報を少なくとも読み取ることで該読み取り情報にて特定される有価価値の大きさに伴う所定の貸出処理を実行すると共に所定の回収条件の成立に基づき前記記録媒体を遊技島内部方向に排出する処理を行う記録媒体処理手段と、を有して前記遊技機間に設置された貸出処理装置と、
を少なくとも具備する複数の遊技用装置が並設された遊技島において、
該遊技島の内部にその長手方向に渡って配設され、前記投入貨幣処理手段より排出される貨幣および前記記録媒体処理手段より排出される記録媒体とを混在搬送可能な本流路と、
前記排出貨幣が移動可能に前記投入貨幣処理手段と前記本流路とを繋ぐ第１支流路と、
前記排出記録媒体が移動可能に前記記録媒体処理手段と前記本流路とを繋ぐ第２支流路と、
前記本流路の搬送方向末端部に連設されて、前記本流路にて搬送されてきた貨幣と記録媒体とを分別して収容可能な分別収容部と、
を設け、
前記第２支流路は、前記排出記録媒体が流下可能に形成されるとともに、該記録媒体の前記本流路への合流速度を規制する速度規制手段を具備することを特徴としている。
この特徴によれば、前記第１支流路と前記第２支流路によって、前記貸出処理装置より排出される排出貨幣および記録媒体が同一の前記本流路に導びかれて遊技島端部位置へ混在搬送され、前記分別収容部にて分別されて収容されるようになることから、搬送路である本流路を貨幣回収用と記録媒体回収用として複数系統設ける必要がないために遊技島内部の構造が複雑化せず、該遊技島のメンテナンス性が大きく低下することもない。また、貨幣および記録媒体の分別が前記分別収容部にてなされることから、これら分別作業の労力も解消できる。また、前記記録媒体が過度の速度にて前記本流路に合流して破損することを防止することができる。
【０００８】
本発明の遊技島は、前記本流路を挟んで対向する位置に設けられた前記各貸出処理装置の前記各第１支流路と前記各第２支流路とが、同一の前記本流路に接続されていることが好ましい。
このようにすれば、遊技島内に設けられる前記本流路を一本設けるのみで、遊技島の両側面に並設される貸出処理装置の貨幣並びに記録媒体を収集することが可能となり、遊技島内の構造をより簡素化することができ、該本流路および遊技島のメンテナンス性も向上できる。
【００１０】
本発明の遊技島は、前記速度規制手段が、前記第２支流路の前記本流路との合流部形状を前記本流路の搬送方向に沿って適宜湾曲させることで形成されていることが好ましい。
このようにすれば、電気的な駆動等を伴うことなく簡便な構造にて前記速度規制手段を形成することができるばかりか、該本流路への合流において前記記録媒体が本流路における搬送に詰まりを生じることもない。
【００１１】
本発明の遊技島は、前記第１支流路は、前記排出貨幣が流下可能に形成されるとともに、該貨幣の流下速度を規制する流下速度規制手段を具備することが好ましい。
このようにすれば、前記排出貨幣が過度の速度にて前記本流路を搬送される前記記録媒体に衝突することによる該記録媒体の破損を防止できる。
【００１２】
本発明の遊技島は、前記流下速度規制手段は、前記第１支流路の前記本流路との合流部に流下する貨幣が衝突可能に配置された規制部材にて形成されていることが好ましい。
このようにすれば、電気的な駆動等を伴うことなく簡便な構造にて前記流下速度規制手段を形成することができ、メンテナンス性も向上する。
【００１３】
本発明の遊技島は、前記本流路を挟んで対向する位置に設けられた前記各貸出処理装置に繋がる前記各第２支流路が合流して１本の第２支流路を形成して前記本流路に接続されていることが好ましい。
このようにすれば、前記本流路に接続される前記第２支流路の本数が減少し、遊技島内部の構造を簡素化できるようになるため、遊技島内部のメンテナンス性を向上できる。
【００１４】
本発明の遊技島は、前記合流する第２支流路に繋がる前記各記録媒体処理手段は互いに信号授受可能に接続され、他方の記録媒体処理手段が記録媒体の排出処理中である旨の信号を出力している際には、記録媒体の排出を実施しないことが好ましい。
このようにすれば、双方の各記録媒体処理手段より同時に記録媒体が排出されて前記各第２支流路の合流部にて記録媒体が詰まることを防止できる。
【００１５】
本発明の遊技島は、前記本流路を搬送される貨幣と記録媒体の重なりおよび貨幣同志または記録媒体同志の重なりを解消する重なり解消手段を、前記分別収容部の上流部所定位置に設けることが好ましい。
このようにすれば、前記分別収容部における貨幣と記録媒体および貨幣の種別毎の分別を容易にしかも確実に実施できる。
【００１６】
本発明の遊技島は、前記重なり解消手段が、前記本流路を構成する搬送路と所定の間隙を有して配置され、該搬送路の移動方向と反対方向に駆動回転された回転ローラにより形成されていることが好ましい。
このようにすれば、前記所定の間隙を搬送される貨幣や記録媒体の厚みより若干大きくすることにより、該間隙を貨幣や記録媒体が１枚づつ通過するようになって重なりを確実に解消できるばかりか、前記回転ローラが搬送路の移動方向と反対方向に駆動回転することにより、前記間隙に貨幣や記録媒体が詰まりを生じてしまうこともない。
【００１７】
本発明の遊技島は、前記回転ローラが、前記搬送路との間隙が変化可能に付勢されたテンションローラであることが好ましい。
このようにすれば、前記所定の間隙を記録媒体または貨幣厚みのいずれか薄い方の厚みより若干大きなものとすることで、これら記録媒体および貨幣双方の重なりを解消することができる。
【００１８】
本発明の遊技島は、前記分別収容部には、前記記録媒体は通過可能であって貨幣は落下する所定の大きさの孔部を有する分別路が設けられていることが好ましい。
このようにすれば、前記記録媒体と貨幣との分別を簡便な機構にて確実に分別することができる。
【００１９】
本発明の遊技島は、前記分別路は、貨幣および記録媒体が流下可能な斜路であって、該分別路表面に摩擦抵抗を低減する摩擦抵抗低減部材が形成されていることが好ましい。
このようにすれば、分別において記録媒体や貨幣の移動を行う機構を設ける必要がなく、分別収集部の構成を簡素化することが可能となるばかりか、前記摩擦抵抗低減部材を設けることで、該分別路を流下する記録媒体が分別路上に止ることを防止できるとともに、前記記録媒体の表面に傷等がつくことも防止できる。
【００２０】
本発明の遊技島は、前記分別路における孔部の配置位置に対応する位置に、前記本流路を搬送される貨幣を整列する整列手段を、前記重なり解消手段の下流部に有することが好ましい。
このようにすれば、前記本流路を搬送される貨幣が重なることなく整列された状態にて前記分別路における孔部に供給されるようになるため、該搬送貨幣を確実に分別することができる。
【００２１】
本発明の遊技島は、前記分別路より落下した貨幣を、該貨幣の外径に基づき各種別毎に分別可能な貨幣分別路を具備することが好ましい。
このようにすれば、前記貨幣が複数の種別存在する場合であっても、これら貨幣を各種別毎に分別して回収することができ、これら貨幣の分別作業に要する労力を省力化できる。
【００２２】
本発明の遊技島は、分別された貨幣および記録媒体の検出を行うセンサを前記分別収容部に具備するとともに、該センサによる検出に基づき回収枚数または回収金額を計数する計数手段を具備することが好ましい。
このようにすれば、回収された貨幣や記録媒体の回収枚数または回収金額を逐次把握することができる。
【００２３】
本発明の遊技島は、前記分別収容部が遊技島内部に収納されて配置されていることが好ましい。
このようにすれば、前記分別収容部が遊技島の外部に突出しないことから、遊技島の美観を向上できるばかりか、前記回収貨幣が収容される分別収容部の位置を第三者に判りにくくでき、盗難等も防止できる。
【００２４】
【発明の実施の形態】
以下、図面に基づいて本発明の実施形態を説明する。尚、以下の実施例においては、遊技機としてパチンコ台を用いた例を示すが、本発明はこれに限定されるものではなく、その他の遊技機、例えばスロットマシン等の遊技機においても適用可能である。
【００２５】
（実施例）
図１は、本実施例の遊技島を示す外観斜視図であり、遊技島１は、その両側面に遊技機であるパチンコ台２と、該パチンコ台２の側部位置に設置される貸出処理装置であるカードユニット３と、から成る複数の遊技用装置が並設可能とされており、該遊技島内部の前記遊技用装置に挟まれた略中央部には、前記並設された各カードユニット３から排出される記録媒体であるプリペイドカード並びに貨幣である硬貨とを該遊技島の一方側へ搬送可能とされた搬送路である本流路１４が設けられ、該搬送方向の遊技島１端面には、その内部に後述する分別収集部が配置された回収ボックス４と、これら回収された硬貨やカードの枚数等の表示装置等を備えた制御ボックス１５と、が遊技島１内部に収納される形にて設けられている。
【００２６】
本実施例に用いた遊技用装置である前記パチンコ台２およびカードユニット３について、図２および図３にに基づいて説明すると、該パチンコ台２の前面に突設する態様にて設けられた上皿には、遊技者が貸出を受けたい場合に操作する貸出ボタン７と、遊技を終了する際に操作する返却ボタン６と、プリペイドカードに記録された情報に基づき特定される有価価値である度数を表示する度数表示器５と、が設けられていて、前記度数表示器５に度数が存在する際に前記貸出ボタン７を操作するすることにより所定数のパチンコ玉が前記上皿に排出されるようになっていて、前記プリペイドカードを用いて遊技を実施可能とされた一般的なパチンコ台である。
【００２７】
このパチンコ台２の側部位置に該パチンコ台２と接続されて設置される前記カードユニット３の前面には、前記プリペイドカードである非接触ＩＣカード（以下ＩＣカードと略称する）が挿入可能とされたカード挿入口８と、硬貨投入口９と、投入した貨幣の返却を行う際に操作される硬貨返却ボタン１０と、投入された金額を追加入金する際に操作される入金ボタン１１と、該追加入金の中止を行う際に操作される中止ボタン１２と、前記投入された硬貨の返却口１３とが設けられている。また、その内部には、前記カード挿入口８に連設され挿入されるＩＣカードに記録された各種情報の読み出しおよび書き込み可能なＩＣカードリーダライタ１６と、前記硬貨投入口９に連設されて投入硬貨の識別を実施する硬貨識別ユニット１７とが設けられている。
【００２８】
このカードユニット３は、前記挿入されたＩＣカードより前記ＩＣカードリーダライタ１６が非接触にて度数データ等の情報を読み出し、該度数を前記度数表示器５に表示させるとともに、前記貸出ボタン７の操作に基づき、所定数のパチンコ玉が貸し出されるように所定のパルスを前記パチンコ台２に出力して該貸出玉数に該当する度数を減算して前記度数表示器５の表示を更新表示する貸出処理を実施するとともに、前記ＩＣカードに基づく残度数が「０」または少なくなった場合（前記ＩＣカードが挿入されていない場合も前記「０」と同様）等において、現金の投入に基づいて投入金額の合計額に該当する度数を前記残度数に加算して貸出可能に処理する追加入金可能なものとされている。
【００２９】
前記本実施例にて用いたＩＣカードリーダライタ１６は、図４に示すような構成とされており、前記カード挿入口８からのＩＣカードの挿入を検知する挿入センサ９７や、前記カード挿入口８に延設され、ＩＣカードがスライド可能とされたガイドレール９８と、該ガイドレール９８を挟むように配設されて該ＩＣカードの移動を、駆動モータ８６、９３にて駆動回転されることにより実施する搬送ローラ８７、８８と、前記搬送ローラ８７、８８の一方側に張架された搬送ベルト９１と、から成る搬送機構や、該搬送されるＩＣカードを所定位置に停止させるストップピンの出没を行う電磁ソレノイド８９や、所定位置に停止されたＩＣカードへの非接触による給電やデータ通信を行う通信ヘッド９０や、前記の各部に接続されてその制御を実施する制御基板９２が設けられているとともに、該ＩＣカードリーダライタ１６はカードユニット３の背面に露出していて、該露出面には前記搬送機構に連通する排出口９５が設けられている。また、該排出口９５には前記本流路１４に繋がるカード支流路１９が連設されて、前記排出口９５より排出される使用済となったＩＣカードが該カード支流路１９内部を流下して前記本流路１４に排出されるようになっており、図中の９４は、自由回転により該移送を補助するフリーローラである。
【００３０】
前記排出口９５よりＩＣカードが排出（回収）される回収条件としては、本実施例においおては、前記度数表示器５の残度数が「０」となった場合において実施されるようになっているが、本発明はこれに限定されるものではなく、これら回収条件等は残度数が「０」となって所定時間の経過後とするように、任意に設定することができる。
【００３１】
また、本実施例では、前記カード支流路１９は図２に示すように、前記カード支流路１９は略Ｙ字状とされて、前記本流路を挟んで対向する位置に配置されたカードユニット３の双方のＩＣカードリーダライタ１６に接続されていて、排出されるＩＣカードが合流して前記本流路１４に排出されるようになっている。これら同一のカード支流路１９にて接続された各ＩＣカードリーダライタ１６は、信号ケーブル２１により、前記制御基板９２同志が信号授受可能に接続されていて、該制御基板９２は、前記排出口９５よりＩＣカードを排出する際には、該信号ケーブル２１に所定の排出信号が出力されていないことを確認するとともに該排出中において所定の排出信号を信号ケーブル２１に出力する制御を実施するようになっていて、双方のＩＣカードリーダライタ１６より同時にＩＣカードが排出されて、前記カード支流路１９の合流部にＩＣカードが詰ることを防止するようになっている。
【００３２】
本実施例では前記したように、カード支流路１９が合流するようにしており、このようにすることは、遊技島内部が前記カード支流路１９が林立することにより複雑化することを防止できることから好ましいが、本発明はこれに限定されるものではなく、これらカード支流路１９を後述する硬貨支流路２０と同様に各カードユニット毎に個別として設けるようにしても良い。
【００３３】
また、前記本実施例において用いた硬貨識別ユニット１７は、投入硬貨が５００円硬貨であるか１００円硬貨であるかの識別を実施し、これ以外の硬貨である場合には、返却通路１８を通じて前記返却口１３より該硬貨を返却し、投入硬貨が５００円硬貨であるか１００円硬貨である場合には、該硬貨を一時貯溜して、遊技者により前記入金ボタン１１が操作されることに基づき、これら硬貨が前記本流路１４に繋がる硬貨支流路２０に排出されて該硬貨支流路２０中を排出硬貨が流下して前記本流路１４に排出され、前記中止ボタン１２が操作された場合には、前記返却口１３より返却される。また、前記本流路１４を挟んで対向する位置にあるカードユニット３に設けられた前記硬貨支流路２０は、図２に示すように同一の本流路１４に接続されている。
【００３４】
本実施例の遊技島１内に設けられた搬送路である本流路１４の構成を、図５および図６に基づき説明すると、遊技島１の長手方向の両端部には、駆動モータ２４およびタイミングベルト２５により駆動回転する駆動ローラ２６と回転自在とされた架設ローラ２７とが設けられ、該駆動ローラ２６と架設ローラ２７間に無端状の搬送ベルト２３が張架されていて、該搬送ベルト２３が循環移動するように前記駆動ローラ２６により所定方向に駆動されており、その搬送方向終端側には、図１０に示すような所定の大きさの孔を有することで前記ＩＣカードと硬貨および硬貨の種別（本実施例では５００円と１００円硬貨）の分別を行うカード分別路３０と硬貨分別路３１とを備えた分別収容部２９が設けられており、図中の２８は前記搬送ベルト２３を支持するガイドローラであって、前記駆動モータ２４は前記制御ボックス１５内部に設けられた後述する制御マイコンによりその動作が制御されている。
【００３５】
この搬送ベルト２３周囲には、図６に示すように、該搬送ベルト２３を収容可能とされたコ字状の搬送樋２２が設けられていて、該搬送ベルト２３上を搬送されるＩＣカードや硬貨が落下しないようになっている。
【００３６】
該本流路１４と前記カード支流路１９および前記硬貨支流路２０との合流部は、図７に示すようになっており、前記カード支流路１９の終端下部には、速度規制手段としての前記搬送ベルト２３の移動方向（搬送方向）に沿って適宜湾曲された合流ガイド３６が設けられていて、流下するＩＣカードの進行方向を搬送方向に変化させて流下速度を低減することによりＩＣカードに加わる衝撃を緩和するようになっている。また、前記硬貨支流路２０の終端下部には、流下する硬貨が衝突することにより、該硬貨の流下速度を低減して該硬貨の流下によるＩＣカードへの衝撃を軽減する流下速度規制手段としての規制部材４０を有する硬貨合流ユニット３５が設けられている。
【００３７】
前記のように、本実施例では速度規制手段として合流ガイド３６を、流下速度規制手段としての規制部材４０を設けているが、本発明はこれに限定されるものではなく、これら速度規制手段および流下速度規制手段としては、ＩＣカードおよび硬貨の流下速度を規制可能なものであれば良い。
【００３８】
これら本流路１４に排出されたＩＣカードや各種硬貨は、任意に排出されるために前記搬送ベルト２３上において重なった状態で搬送される場合があることから、本実施例においては図８に示すように、これら重なりを防止する硬貨重なり解消ユニット３７やカード重なり解消ユニット３９および搬送される硬貨の整列を行う整列ユニット３８を、前記分別収容部２９の上流部位置に設けている。
【００３９】
この硬貨重なり解消ユニット３７は、前記搬送樋２２内部を移動する搬送ベルト２３の上面との間に、５００円硬貨および１００円硬貨が１枚のみ通過可能な所定の間隙が形成されるように配置されたローラ４１を前記搬送方向と逆方向に回転するように駆動する駆動モータ４２を有し、ＩＣカードや他の硬貨に重なった状態の硬貨が、前記ローラ４１に当接して排除されることで、ＩＣカードと硬貨および硬貨と硬貨との重なりが解消されるようになっており、前記搬送樋２２を囲むホルダ３７’により、搬送樋２２の任意の位置に取付け可能とされている。
【００４０】
これら重なりが解消された各硬貨は、その下端部と前記搬送ベルト２３の上面との間が、ＩＣカードは当接せずに通過できるが硬貨とは当接可能な所定の間隙を有するように設けられた整列板４３が、当接する硬貨を搬送ベルト２３のほぼ中央部に整列するようにその進路を変更可能な所定の角度を有して設けられた前記整列ユニット３８により、搬送ベルトのほぼ中央部に１列上に整列される。
【００４１】
また、該整列ユニット３８の下流部に設けられたカード重なり解消ユニット３９は、前記硬貨重なり解消ユニット３７とほぼ同様の構成とされているが、該カード重なり解消ユニット３９に設けられるロールは、その中央部に前記中央部に整列された硬貨と当接しないような空隙が設けられたフランジローラ４４とされており、該フランジローラ４４の両端部におけるローラ面と搬送ベルト２３との間隙が、ＩＣカードが１枚のみ通過可能な所定の厚みとされており、該フランジローラ４４が駆動モータ４５にて搬送方向と逆方向に駆動回転することにより、重なっている上側のＩＣカードが前記フランジローラ４４と当接して下側のＩＣカードのみがフランジローラ４４を通過するようになり、ＩＣカードの重なりが解消されるようになっている。また、前記整列ユニット３８およびカード重なり解消ユニット３９も前記硬貨重なり解消ユニット３７と同様に、前記搬送樋２２を囲むホルダ３８’，３９’により、搬送樋２２の任意の位置に取付け可能とされているとともに、前記駆動モータ４２および４５は、前記制御ボックス１５内部に設けられた後述する制御マイコンによりその動作が制御されるようになっている。
【００４２】
これら各重なりを解消することは、後述するＩＣカードと硬貨との分別並びに硬貨の種別毎の分別を確実にしかも容易に実施できるととともに、その計数を確実に実施できるようになることから好ましいが、本発明はこれに限定されるものではなく、これら重なり防止をいずれか一方としたり、分別方法によっては適宜実施しないようにしても良い。
【００４３】
また、本実施例では前記したように、ＩＣカードと硬貨の重なりを個別のカード重なり解消ユニット３９および硬貨重なり解消ユニット３７にて実施しているが、本発明はこれに限定されるものではなく、図１４に示すように、前記搬送ベルト上面と所定の間隙にて配置されるローラ６５を、上下方向にスライド可能とされるとともにスプリング等の付勢部材７０により下方に付勢されたスライド板６９に軸支してテンションローラとし、これを駆動モータ６６によりタイミングベルト６７にて搬送方向と逆方向に回転させるようにして、同一のユニットにて厚みの異なるＩＣカードおよび硬貨の重なりを解消可能とするようにしても良いし、その他の方法によりＩＣカードや硬貨およびＩＣカードと硬貨との重なりを解消するようにしても良い。尚、図中の６８はローラ６５の上下移動に伴うタイミングベルト６７の張りを調整する調整ローラである。
【００４４】
このようにして、重なりが解消された硬貨およびＩＣカードは、図９に示す分別回収部２９に搬送、供給される。この分別回収部２９には、前記搬送ベルト２３の終端部に連設する形にて図１０に示すようなカード分別路３０、および該カード分別路３０の下部位置に硬貨分別路３１が設けられており、該カード分別路３０を通過したＩＣカードが、カードセンサ４７を通過して検出された後、カード回収箱３２に収容され、前記硬貨分別路３１にて分別された５００円硬貨、１００円硬貨は、ガイド３３’，３４’を通じて５００円硬貨回収箱３３および１００円硬貨回収箱３４、に収容され、該収容される各硬貨は、前記ガイド３３’，３４’に設けられた硬貨センサ４８、４９により検出されるようになっている。また、前記カード回収箱３２、５００円硬貨回収箱３３、１００円硬貨回収箱３４は、図１１に示すように前記回収ボックス４内部に取り出し可能に収容されている。
【００４５】
前記本実施例に用いた前記カード分別路３０は、図１０に示すように、前記搬送ベルト２３の幅とほぼ同等の傾斜路にて形成されていて、その両側部には摩擦抵抗低減部材としてのテフロンシート５０が貼付されたスライド部が設けられており、前記搬送ベルト２３より供給されたＩＣカードは該スライド部上をスライドして該カード分別路３０を通過するようになっている。また、前記スライド部間の傾斜路中央位置には、１００円および５００円の双方の硬貨が落下可能とされた大きさの孔部４６が設けられており、前記整列ユニット３８にて搬送ベルト２３の中央位置に整列された硬貨は、該孔部４６より落下してカード分別路３０下部に配置された硬貨分別路３１に供給される。
【００４６】
この硬貨分別路３１は、所定角度に傾斜された板材５３上に硬貨を分別孔部５２に導く流下ガイド５１ａ，５１ｂが設けられた構成とされているとともに、前記板材５３は、流下する硬貨が流下ガイド５１ｂに当接して流下するように流下ガイド５１ｂ側に傾斜配置されている。また、前記分別孔部５２は、大径の５００円硬貨は落下せずに小径の１００円硬貨のみが落下する大きさとされており、前記孔部４６より落下して硬貨分別路３１に供給された硬貨は、前記流下ガイド５１ｂに当接しながら板材５３上を流下して前記分別孔部５２に供給され、１００円硬貨のみが前記分別孔部５２より落下して５００円硬貨と分別される。
【００４７】
前記のように、カード分別路３０において摩擦抵抗低減部材であるテフロンシート５０を貼付することは、該カード分別路３０上にＩＣカードが滞留することが防止されるとともに、該ＩＣカード表面に傷等が付きにくくなることから好ましいが、本発明は前記テフロンシート５０に限定されるものではなく、例えばナイロンシート等でも良く、これら摩擦抵抗低減部材は、摩擦を低減可能なものであれば特に限定されるものではない。
【００４８】
これら分別されたＩＣカードや各種硬貨は、前記カードセンサ４７および硬貨センサ４８、４９により検出され、該検出信号が図１３に示すように、前記制御ボックス１５内部に設けられた制御基板上のセンサ回路およびＩ／Ｏポートを介して計数手段としての制御マイコンに出力され、該制御マイコンにより各回収枚数が加算計数されて図１２に示すように、該制御ボックス１５の内部に設けられた操作パネル上のカード枚数表示器５７、５００円玉枚数表示器５８、１００円玉枚数表示器５８に表示回路を介して表示されるようになっている。
【００４９】
このように、前記各表示器に回収されたＩＣカードの枚数や各種硬貨の枚数を表示することは、回収量を逐次確認することが可能となることから好ましく、これら回収枚数等のデータを管理コンピュータ等に通信により収集して各遊技島における回収状況を集中して管理するようにしても良い。また、本実施例では、計数手段として前記制御マイコンを使用しているが、本発明はこれに限定されるものではなく、これら計数手段は前記各センサよりの出力を加算してその回収枚数を計数可能なものであれば特に限定されるものではなく、更に前記ＩＣカードや硬貨の検出を行う各センサも、該ＩＣカードや硬貨を検出可能なものであれば特に限定されるものではない。また、前記本実施例では前記表示器に回収れた枚数を表示しているが、これら枚数に硬貨の金額を乗算して金額が表示されるようにしても良い。
【００５０】
また、図１２に示すように、前記操作パネルには、前記搬送ベルトを駆動する駆動モータ２４および前記各重なり解消ユニット３７，３９に設けられた駆動モータ４２，４５の運転を開始させる運転ボタン５５や、何らかの異常時に点灯される異常ランプ５６が設けられているとともに、前記各回収箱３２、３３、３４の取り出し時に操作しやすいように前記回収ボックス４内部に露出する形にて前記各駆動モータ２４，４２，４５の運転を停止させる停止ボタン６２および前記運転ボタン５５が操作されることにより点灯して運転状況にあることを報知する運転ランプ６３が設けられており、これら各部は図１３に示すようにＩ／Ｏポートを介して制御マイコンに接続されており、該制御マイコンはＲＯＭに記憶されている制御プログラムに基づき、これら各部の制御並びに前記回収されたＩＣカードや硬貨の計数を実施するようになっている。尚、図１２中における６１は電源ブレーカであり、６０は該電源ブレーカにて電源投入された際に点灯する電源ランプである。
【００５１】
以上、本実施例のようにすれば、カードユニット３へのカード挿入や硬貨投入および各操作を容易とするために該カードユニット３を遊技機であるパチンコ台２間に縦長状として配置した場合においても、前記本流路１４と各カードユニット３とを接続する前記カード支流路１９と前記硬貨支流路２０とを設けることにより、回収されるＩＣカードと硬貨とを同一の搬送路である前記本流路１４にて搬送、回収することが可能となることから、前記本流路をＩＣカードと硬貨とで個別に設ける必要がないために遊技島内部の構造が複雑化せず、該遊技島のメンテナンス性が大きく低下することもない。
【００５２】
前記各実施例における各要素は、本発明に対して以下のように対応している。
【００５３】
本発明の請求項１は、遊技機（パチンコ台２）と、投入された貨幣を識別してその貨幣価値に伴う所定の処理を実行すると共に該貨幣を遊技島内部方向に排出可能とされた投入貨幣処理手段（硬貨識別ユニット１７）と、挿入された記録媒体（ＩＣカード）に記録された情報を少なくとも読み取ることで該読み取り情報にて特定される有価価値（度数）の大きさに伴う所定の貸出処理を実行すると共に所定の回収条件（度数「０」）の成立に基づき前記記録媒体（ＩＣカード）を遊技島内部方向に排出する処理を行う記録媒体処理手段（ＩＣカードリーダライタ１６）と、を有して前記遊技機（パチンコ台２）間に設置された貸出処理装置（カードユニット３）と、を少なくとも具備する複数の遊技用装置が並設された遊技島１において、該遊技島１の内部所定位置にその長手方向に渡って配設され、前記投入貨幣処理手段（硬貨識別ユニット１７）より排出される貨幣および前記記録媒体処理手段（ＩＣカードリーダライタ１６）より排出される記録媒体（ＩＣカード）とを混在搬送可能な本流路１４と、前記排出貨幣が移動可能に前記投入貨幣処理手段（硬貨識別ユニット１７）と前記本流路１４とを繋ぐ第１支流路（硬貨支流路２０）と、前記排出記録媒体（ＩＣカード）が移動可能に前記記録媒体処理手段（ＩＣカードリーダライタ１６）と前記本流路１４とを繋ぐ第２支流路（カード支流路１９）と、前記本流路１４の搬送方向末端部に連設されて、前記本流路１４にて搬送されてきた貨幣と記録媒体（ＩＣカード）とを分別して収容可能な分別収容部２９と、を設け、前記第２支流路（カード支流路１９）は、前記排出記録媒体（ＩＣカード）が流下可能に形成されるとともに、該記録媒体（ＩＣカード）の前記本流路１４への合流速度を規制する速度規制手段（合流ガイド３６）を具備している。
【００５４】
本発明の請求項２は、前記本流路１４を挟んで対向する位置に設けられた前記各貸出処理装置（カードユニット３）の前記各第１支流路（硬貨支流路２０）と前記各第２支流路（カード支流路１９）とが、同一の前記本流路１４に接続されている。
【００５６】
本発明の請求項３は、前記速度規制手段（合流ガイド３６）が、前記第２支流路（カード支流路１９）の前記本流路１４との合流部形状を前記本流路１４の搬送方向に沿って適宜湾曲させることで形成されている。
【００５７】
本発明の請求項４は、前記第１支流路（硬貨支流路２０）は、前記排出貨幣が流下可能に形成されるとともに、該貨幣の流下速度を規制する流下速度規制手段（硬貨合流ユニット３５）を具備している。
【００５８】
本発明の請求項５は、前記流下速度規制手段（硬貨合流ユニット３５）は、前記第１支流路（硬貨支流路２０）の前記本流路１４との合流部に流下する貨幣が衝突可能に配置された規制部材４０にて形成されている。
【００５９】
本発明の請求項６は、前記本流路１４を挟んで対向する位置に設けられた前記各貸出処理装置（カードユニット３）に繋がる前記各第２支流路が合流して１本の第２支流路（カード支流路１９）を形成して前記本流路１４に接続されている。
【００６０】
本発明の請求項７は、前記合流する第２支流路（カード支流路１９）に繋がる前記各記録媒体処理手段（ＩＣカードリーダライタ１６）は互いに信号授受可能に接続され、他方の記録媒体処理手段（ＩＣカードリーダライタ１６）が記録媒体（ＩＣカード）の排出処理中である旨の信号を出力している際には、記録媒体（ＩＣカード）の排出を実施しないようになっている。
【００６１】
本発明の請求項８は、前記本流路１４を搬送される貨幣と記録媒体（ＩＣカード）の重なりおよび貨幣同志または記録媒体（ＩＣカード）同志の重なりを解消する重なり解消手段（硬貨重なり解消ユニット３７、カード重なり解消ユニット３９）を、前記分別収容部２９の上流部所定位置に設けている。
【００６２】
本発明の請求項９は、前記重なり解消手段（硬貨重なり解消ユニット３７、カード重なり解消ユニット３９）が、前記本流路１４を構成する搬送路（搬送ベルト２３）と所定の間隙を有して配置され、該搬送路（搬送ベルト２３）の移動方向と反対方向に駆動回転された回転ローラ（ローラ４１、フランジローラ４４）により形成されている。
【００６３】
本発明の請求項１０は、前記回転ローラが、前記搬送路（搬送ベルト２３）との間隙が変化可能に付勢されたテンションローラ６５としている。
【００６４】
本発明の請求項１１は、前記分別収容部２９には、前記記録媒体（ＩＣカード）は通過可能であって貨幣は落下する所定の大きさの孔部４６を有する分別路（カード分別路３０）が設けられている。
【００６５】
本発明の請求項１２は、前記分別路（カード分別路３０）は、貨幣および記録媒体（ＩＣカード）が流下可能な斜路であって、該分別路（カード分別路３０）表面に摩擦抵抗を低減する摩擦抵抗低減部材（テフロンシート５０）が形成されている。
【００６６】
本発明の請求項１３は、前記分別路（カード分別路３０）における孔部４６の配置位置に対応する位置に、前記本流路１４を搬送される貨幣を整列する整列手段（整列ユニット３８）を、前記重なり解消手段（硬貨重なり解消ユニット３７）の下流部に有している。
【００６７】
本発明の請求項１４は、前記分別路（カード分別路３０）より落下した貨幣を、該貨幣の外径に基づき各種別毎に分別可能な貨幣分別路３１を具備している。
【００６８】
本発明の請求項１５は、分別された貨幣および記録媒体（ＩＣカード）の検出を行うセンサ（カードセンサ４７、硬貨センサ４８、４９）を前記分別収容部２９に具備するとともに、該センサ（カードセンサ４７、硬貨センサ４８、４９）による検出に基づき回収枚数または回収金額を計数する計数手段（制御マイコン）を具備している。
【００６９】
本発明の請求項１６は、前記分別収容部２９が遊技島１内部に収納されて配置されている。
【００７０】
また、前記請求項における記録媒体処理手段の所定の処理としては、前記実施例におけるプリペイド度数に基づく貸出処理が該当する。
【００７１】
また、前記請求項における投入貨幣処理手段の所定の処理としては、前記実施例における貨幣価値に基づく入金処理や、該貨幣価値に基づく貸出処理が該当する。
【００７２】
また、前記請求項における所定の回収条件としては、前記実施例において残度数が「０」となった際に実施されるようになっているが、前記記録媒体が遊技において獲得された獲得有価価値を記録可能な場合等においては、前記残度数が「０」であるとともに該獲得有価価値が「０」である場合を回収条件とすれば良く、これら回収条件としては記録媒体に記録される情報の内容等に応じて適宜に決定されれば良い。
【００７３】
以上、本発明の実施形態を図面により前記実施例にて説明してきたが、本発明はこれら実施例に限定されるものではなく、本発明の主旨を逸脱しない範囲における変更や追加があっても本発明に含まれることは言うまでもない。
【００７４】
また、前記実施例では本流路１４を搬送ベルト２３と搬送樋２２にて形成しているが、本発明はこれに限定されるものではなく、これら本流路の機構としては、前記記録媒体と貨幣とを混在搬送可能なものであれば良い。
【００７５】
また、前記カード支流路２０および硬貨支流路１９とは、記録媒体であるＩＣカードと硬貨とが流下可能なものとされているが、本発明はこれに限定されるものではなく、これら記録媒体や貨幣を機械的に搬送可能なものとしても良い。
【００７６】
また、前記実施例では記録媒体であるＩＣカードに有価価値としての度数が記録されるようになっており、これら度数を読み出して貸出処理を実施しているが、本発明はこれに限定されるものではなく、前記ＩＣカードに予め付与されたＩＤ等の識別符号を記録しておき、該識別符号（ＩＤ）に対応付けて度数等の有価価値を管理コンピュータ等に登録し、前記識別符号（ＩＤ）を読み出すことにより、前記管理コンピュータ等に登録されている有価価値を特定するようにしても良いし、セキュリティ向上のためにこれら管理コンピュータとＩＣカードの双方に有価価値を登録、記録しておき、使用時においてこれら双方のデータを比較して不正を防止するようにしても良い。
【００７７】
また、前記実施例では記録媒体として非接触のＩＣカード３７を用いているが、本発明はこれに限定されるものではなく、これを接触型のＩＣカードとしたり、磁気カードとしても良いし、更には前記のように識別符号（ＩＤ）を用いて有価価値を特定する場合等には、記録媒体を特定可能な前記識別情報であるＩＤ等の情報を少なくとも読み取り可能に記録できるものであれば良く、例えばバーコード等の所定の情報記録シンボル等が読み取り可能にプリントされた媒体等であっても良い。
【００７８】
また、前記実施例では、前記カードユニット３は、プリペイドカードであるＩＣカードが挿入されて貸出処理がなされるようになっているが、本発明はこれに限定されるものではなく、前記ＩＣカードが会員カード等の貯玉可能な記録媒体であって、該貯玉データを再度使用しての遊技が可能とされたのもであっても良い。
【００７９】
また、前記実施例では、前記度数表示器５に残度数が存在する際に前記返却ボタン６が操作された場合に、新たな残度数を前記挿入されているＩＣカードに記録するために、記録媒体処理手段として書き込み可能なリーダライタを使用しているが、本発明はこれに限定されるものではなく、これら記録媒体処理手段を読み取り専用のものとしても良い。
【００８０】
また、前記実施例では前記分別収容部２９における分別手段として、前記各分別路３０，３１を用いているが本発明はこれに限定されるものではなく、これら分別手段としてその他の方法や装置等を用いるようにしても良い。
【００８１】
また、前記実施例では、有価価値の形態として度数を用いているが、本発明はこれに限定されるものではなく、例えばこれら有価価値をポイントや相当するパチンコ玉数やコイン数としても良く、その形態は任意に選択すれば良い。
【００８２】
【発明の効果】
本発明は次の効果を奏する。
【００８３】
請求項１の発明によれば、前記第１支流路と前記第２支流路によって、前記貸出処理装置より排出される排出貨幣および記録媒体が同一の前記本流路に導びかれて遊技島端部位置へ混在搬送され、前記分別収容部にて分別されて収容されるようになることから、搬送路である本流路を貨幣回収用と記録媒体回収用として複数系統設ける必要がないために遊技島内部の構造が複雑化せず、該遊技島のメンテナンス性が大きく低下することもない。また、貨幣および記録媒体の分別が前記分別収容部にてなされることから、これら分別作業の労力も解消できる。また、前記記録媒体が過度の速度にて前記本流路に合流して破損することを防止することができる。
【００８４】
請求項２の発明によれば、遊技島内に設けられる前記本流路を一本設けるのみで、遊技島の両側面に並設される貸出処理装置の貨幣並びに記録媒体を収集することが可能となり、遊技島内の構造をより簡素化することができ、該本流路および遊技島のメンテナンス性も向上できる。
【００８６】
請求項３の発明によれば、電気的な駆動等を伴うことなく簡便な構造にて前記速度規制手段を形成することができるばかりか、該本流路への合流において前記記録媒体が本流路における搬送に詰まりを生じることもない。
【００８７】
請求項４の発明によれば、前記排出貨幣が過度の速度にて前記本流路を搬送される前記記録媒体に衝突することによる該記録媒体の破損を防止できる。
【００８８】
請求項５の発明によれば、電気的な駆動等を伴うことなく簡便な構造にて前記流下速度規制手段を形成することができ、メンテナンス性も向上する。
【００８９】
請求項６の発明によれば、前記本流路に接続される前記第２支流路の本数が減少し、遊技島内部の構造を簡素化できるようになるため、遊技島内部のメンテナンス性を向上できる。
【００９０】
請求項７の発明によれば、双方の各記録媒体処理手段より同時に記録媒体が排出されて前記各第２支流路の合流部にて記録媒体が詰まることを防止できる。
【００９１】
請求項８の発明によれば、前記分別収容部における貨幣と記録媒体および貨幣の種別毎の分別を容易にしかも確実に実施できる。
【００９２】
請求項９の発明によれば、前記所定の間隙を搬送される貨幣や記録媒体の厚みより若干大きくすることにより、該間隙を貨幣や記録媒体が１枚づつ通過するようになって重なりを確実に解消できるばかりか、前記回転ローラが搬送路の移動方向と反対方向に駆動回転することにより、前記間隙に貨幣や記録媒体が詰まりを生じてしまうこともない。
【００９３】
請求項１０の発明によれば、前記所定の間隙を記録媒体または貨幣厚みのいずれか薄い方の厚みより若干大きなものとすることで、これら記録媒体および貨幣双方の重なりを解消することができる。
【００９４】
請求項１１の発明によれば、前記記録媒体と貨幣との分別を簡便な機構にて確実に分別することができる。
【００９５】
請求項１２の発明によれば、分別において記録媒体や貨幣の移動を行う機構を設ける必要がなく、分別収集部の構成を簡素化することが可能となるばかりか、前記摩擦抵抗低減部材を設けることで、該分別路を流下する記録媒体や分別路上に止ることを防止できるとともに、前記記録媒体の表面に傷等がつくことも防止できる。
【００９６】
請求項１３の発明によれば、前記本流路を搬送される貨幣が重なることなく整列された状態にて前記分別路における孔部に供給されるようになるため、該搬送貨幣を確実に分別することができる。
【００９７】
請求項１４の発明によれば、前記貨幣が複数の種別存在する場合であっても、これら貨幣を各種別毎に分別して回収することができ、これら貨幣の分別作業に要する労力を省力化できる。
【００９８】
請求項１５の発明によれば、回収された貨幣や記録媒体の回収枚数または回収金額を逐次把握することができる。
【００９９】
請求項１６の発明によれば、前記分別収容部が遊技島の外部に突出しないことから、遊技島の美観を向上できるばかりか、前記回収貨幣が収容される分別収容部の位置を第三者に判りにくくでき、盗難等も防止できる。
【０１００】
【図面の簡単な説明】
【図１】本発明の実施例における遊技島１を示す斜視図である。
【図２】本発明の実施例におけるカードユニットと本流路との接続状況を示す斜視図である。
【図３】本発明の実施例にて用いた遊技用装置である遊技機とカードユニットとを示す正面図である。
【図４】本発明の実施例にてカードユニットに用いたＩＣカードリーダライタの構成を示す断面図である。
【図５】本発明の実施例における本流路および分別収容部の構成を示す側面模式図である。
【図６】本発明の実施例における本流路の構成を示す断面Ａ−Ａにおける断面図である。
【図７】本発明の実施例における本流路と各支流路との合流部を示す斜視図である。
【図８】本発明の実施例における各重なり解消ユニットおよび整列ユニットとを示す斜視図である。
【図９】本発明の実施例における分別収容部を示す斜視図である
【図１０】本発明の実施例にて分別収容部に用いた各分別路を示す斜視図である。
【図１１】本発明の実施例における回収ボックスの内部状況を示す図である。
【図１２】本発明の実施例における制御ボックス内部に設けられた操作パネルを示す図である。
【図１３】本発明の実施例における各種機器の接続状況を示すブロック図である。
【図１４】本発明における重なり解消手段のその他の形態としてのテンションローラを示す斜視図である。
【符号の説明】
ｌ        遊技島
パチンコ台
カードユニット
回収ボックス
度数表示器
返却ボタン
貸出ボタン
カード挿入口
硬貨投入口
硬貨返却ボタン
入金ボタン
中止ボタン
返却口
本流路
制御ボックス
ＩＣカードリーダライタ
硬貨識別ユニット
返却通路
カード支流路（第１支流路）
硬貨支流路（第２支流路）
信号ケーブル
搬送樋
搬送ベルト
駆動モータ
タイミングベルト
駆動ローラ
架設ローラ
ガイドローラ
分別収容部
カード分別路
硬貨分別路
カード回収箱
５００円硬貨回収箱
３３’
ガイド
１００円硬貨回収箱
３４’
ガイド
硬貨合流ユニット
合流ガイド
硬貨重なり解消ユニット
３７’
ホルダ
整列ユニット
３８’
ホルダ
カード重なり解消ユニット
３９’
ホルダ
規制部材
ローラ
駆動モータ
整列板
フランジローラ
駆動モータ
孔部
カードセンサ
硬貨センサ（５００円）
硬貨センサ（１００円）
テフロンシート
５１ａ
流下ガイド
５１ｂ
流下ガイド
分別孔部
板材
運転ボタン
異常ランプ
カード枚数表示器
５００円玉枚数表示器
１００円玉枚数表示器
電源ランプ
電源ブレーカ
停止ボタン
運転ランプ
ローラ
駆動モータ
タイミングベルト
調整ローラ
スライド板
付勢部材
駆動モータ
搬送ローラ
搬送ローラ
電磁ソレノイド
通信ヘッド
搬送ベルト
制御基板
駆動モータ
フリーローラ
排出口
挿入センサ
ガイドレール
【図１】
0004428487.tif 000002
【図２】
0004428487.tif 000003
【図３】
0004428487.tif 000004
【図４】
0004428487.tif 000005
【図５】
0004428487.tif 000006
【図６】
0004428487.tif 000007
【図７】
0004428487.tif 000008
【図８】
0004428487.tif 000009
【図９】
0004428487.tif 000010
【図１０】
0004428487.tif 000011
【図１１】
0004428487.tif 000012
【図１２】
0004428487.tif 000013
【図１３】
0004428487.tif 000014
【図１４】
0004428487.tif 000015